(57)【要約】      （修正有）【課題】室内での歩行にあたって滑り易いということがなく、且つ上から靴を履く際にスムーズに履くことができる下肢装具、並びに下肢装具用足底載置体を提供する。【解決手段】下肢装具に装着可能であって足底を載せるための足底載置体１０において、その底裏面に、滑り止め部分１２（第二〜四指のＭＰ関節位置を含んだ箇所）及び滑り止め部分１４（踵の左右両側縁位置を除いた踵後部〜踵背面位置を含んだ箇所）と、易滑り部分１１（左右両側縁位置を含んだ箇所）を備える。【選択図】図２
2007135916.tif 000002
【特許請求の範囲】
【請求項１】
下肢装具に用いられ、足底を載せるための足底載置体において、
前記足底載置体の底裏面は滑り止め部分と易滑り部分を備え、
前記滑り止め部分は、第二〜四指のうちの少なくとも１指の中足基節骨関節位置、並びに踵の左右両側縁位置を除いた踵後部〜踵背面位置に形成され、
前記易滑り部分は、前記底裏面の全長に亘る左右両側縁位置に形成されたものであることを特徴とする下肢装具用足底載置体。
【請求項２】
前記滑り止め部分が、第一〜五指のうちの少なくとも１指の指腹位置に形成されたものである請求項１に記載の下肢装具用足底載置体。
【請求項３】
前記易滑り部分が、前記底裏面における第一指の中足基節骨関節位置と第五指の中足基節骨関節位置に形成されたものである請求項１または２に記載の下肢装具用足底載置体。
【請求項４】
前記滑り止め部分が前記易滑り部分よりも張り出している請求項１〜３のいずれかに記載の下肢装具用足底載置体。
【請求項５】
請求項１〜４のいずれかに記載の足底載置体と、下腿部分を支持する下腿添体を備えたものであることを特徴とする下肢装具。
【発明の詳細な説明】
【技術分野】
【０００１】
本発明は、歩行の際の補助具として使用される下肢装具、並びに下肢装具に用いられる下肢装具用足底載置体に関するものである。
【背景技術】
【０００２】
脳溢血や脳梗塞，外傷による腓骨神経麻痺，或いは先天的疾患等を原因として、足首関節を自己の意思で自由に動かすことができないという障害を持つことがある。この障害を負った患者は上手く歩けないことから、補助具として下肢装具が一般に用いられている。尚症例としては一方の足が麻痺した片麻痺が最も多く、健常に近い歩行を実現する為に、上記下肢装具を用いた歩行訓練が推奨されている。
【０００３】
下肢装具としては、足首を固定するタイプや足首の可動を補助するタイプ、或いは靴と一体となったタイプ（以下、靴一体タイプと称することがある）や下肢装具の上から靴を履くタイプ（以下、内装着タイプと称することがある）等、種々のものが提案されている。
【０００４】
このうち内装着タイプとしては、例えば足の底面〜脹ら脛面をカバーする合成樹脂製本体に布製バンドを取り付けたものが提案されている（例えば、特許文献１，２参照）。この下肢装具の本体の合成樹脂素材には、一般に摩擦抵抗の低いものが用いられ、足に下肢装具を装着した状態で靴内へ挿入するに際して、上記合成樹脂製本体が靴内の布等に接触するときに滑らかにすべり、容易に靴を履くことができる。
【０００５】
一方、靴を履かずに室内で歩行する際には、上記内装着タイプでは下肢装具の底裏面が滑ってしまうことから不適当であり、そこでこれとは別に、該底裏面にゴム製シートを接着したものが提案されている（以下、裏面ラバータイプと称することがある）。図５は該裏面ラバータイプの底裏を示す底面図である。図５に示す様に、裏面ラバータイプの下肢装具５０では底裏面全体にゴム製シート５２が設けられている。
【特許文献１】特開２００５−２０４８００号公報
【特許文献２】特開平１１−１９７１７０号公報（特に図２，４，５参照）
【発明の開示】
【発明が解決しようとする課題】
【０００６】
上述の様に種々の生活場面に応じた下肢装具が提案されているものの、靴を履いて外出するときと、室内で歩行するときとで、その都度、別の下肢装具に履き替えるということは煩雑であり、また複数種類の下肢装具を準備する必要があることから、使用者に経済的負担を強いることにもなる。
【０００７】
そこで、裏面ラバータイプの上から靴を履くことが試みられているが、靴を履くに際して裏面のゴム製シートが靴内面に擦れてこれが摩擦抵抗となり、履き辛いという問題がある。特に脳梗塞等で麻痺を生じた使用者にあっては、足だけでなく手も自由に動かすことが困難であることから、靴を履く操作を楽に行えることが望まれている。
【０００８】
本発明は上記の様な事情に着目してなされたものであって、その目的は、室内での歩行にあたって滑り易いということがなく、且つ上から靴を履く際にスムーズに履くことができる下肢装具、並びに下肢装具用足底載置体を提供することにある。
【課題を解決するための手段】
【０００９】
前述の様に靴を履く際の操作性の観点からすると、足底載置体の底裏面は滑り易い方が良いが、靴を履かずに下肢装具のままで歩行するときには、底裏面が滑り難い方が良い。この相反する要請に関し、本発明者らが鋭意検討したところ、(1)靴を履く操作において、特に靴内面に接触する箇所は底裏面のうち左右（足内側・外側）の側縁部分であり、その他の部分は差程接触しないこと、(2)歩行に際して、特に床面とのグリップ力が求められる箇所は、踵の部分と中足基節骨関節（以下、ＭＰ関節と称することがある）の部分であること、(3)加えてこれらの部分の全範囲が必ずしも滑り止めとなっている必要はないことを見出し、本発明に至った。
【００１０】
斯様な観点よりなされた本発明に係る下肢装具用足底載置体は、下肢装具に用いられ、足底を載せるための足底載置体であり、前記足底載置体の底裏面は滑り止め部分と易滑り部分を備え、前記滑り止め部分が、第二〜四指のうちの少なくとも１指の中足基節骨関節位置、並びに踵の左右両側縁位置を除いた踵後部〜踵背面位置に形成され、前記易滑り部分が、前記底裏面の全長に亘る左右両側縁位置に形成されたものであることを特徴とする。尚、上記「踵背面」とはあくまでも底裏面における踵背面の部分であり、底裏面を超えてアキレス腱側にせり上がった位置までを言うものではない。
【００１１】
また本発明に係る下肢装具は、前記足底載置体と、下腿部分を支持する下腿添体を備えたものであることを特徴とする。
【００１２】
上記底裏面における滑り止め部分と易滑り部分の配置箇所について、足裏と対応させて図１［（ａ）は足底載置体の底裏面における易滑り部分の配置箇所を説明する為の底面図、（ｂ）は足底載置体の底裏面における滑り止め部分の配置箇所を説明する為の底面図］を用いて以下に説明する。尚図１では、ＭＰ関節の位置や指腹の位置を分かり易くする為に、足の形を画いているが、足底載置体としては勿論指の形に象る必要はない。
【００１３】
易滑り部分としては、少なくとも前記底裏面における左右両側縁位置に底裏面全長にわたって形成する必要がある（図１（ａ）に示すＤ，Ｅの箇所）。靴を履くときは、まず靴の足首開口から足先を挿入し、続いて足長手方向（縦方向）に進め、最後に踵部分を入れ込むことになるが、その際、Ｄ，Ｅの箇所が靴内面に擦れることとなる。そしてこの擦れる箇所が易滑り部分となっているので、靴をスムーズに履くことができる。
【００１４】
尚、踵背面位置が滑り止め部となっていることから、靴に踵部分を入れ込むときにここが抵抗となる懸念があるものの、下述の如く踵背面位置は歩行に際して床面とのグリップ力を求められる箇所であるから、この箇所全体を滑り易くすることは適当でない。また踵部分に滑り止め部分が配置されているとは言え、該踵部分の左右両側縁位置は易滑り部分となっていることから、靴内への滑り込みが比較的良好に行え、加えて踵部分を入れ込む操作は靴の背面中心部（アキレス腱の位置）を引き上げるという動作で、比較的容易に踵を入れ込むことができるので、靴装着の操作性にあまり悪影響を及ぼさない。
【００１５】
易滑り部分を形成する左右両側縁位置の範囲としては、左右側端からそれぞれ内側に４mm以上の範囲（幅Ｗで示す）であることが好ましい。より好ましくは５mm以上である。但し、上記踵後部〜踵背面位置の滑り止め部分を確保する観点から、該踵後部〜踵背面位置における易滑り部分の範囲（図１（ａ）に幅Ｗ1，Ｗ2で示す範囲）としては、左右側端から１５mm以下とするのが良い。
【００１６】
滑り止め部分としては、少なくとも前記底裏面における第二〜四指のうちの少なくとも１指の中足基節骨関節位置（図１（ｂ）に示すＡの箇所の少なくとも一部）、並びに踵の左右両側縁位置を除いた踵後部〜踵背面位置（図１（ｂ）に示すＢの箇所の全域）に形成する必要がある。尚図１（ｂ）において踵の範囲を２点鎖線で表している。
【００１７】
足裏における身体の支持は、ＭＰ関節における２点と踵との合計３点により行うことが基本であり、歩くときには、まず踵を床に着き、続いて体重を足裏全体に乗せる様にしていき、次いで踵を上げると共にＭＰ関節で踏み返して蹴り出すという動作が行われる。
【００１８】
そして上記支持の３点のうちの踵については、初めの踵接地の場面と足裏全面接地の場面とにおいてグリップ力が要求されるところ、このとき必ずしも踵全面に滑り止めが配されていなくても、そのうちの４０％（面積割合）以上が滑り止め部分となっていれば、その滑り止め部分が摩擦抵抗となって床を捉えることができるので、左右両側縁位置に滑り止め部分を設けなくても殆ど支障がない。また特に踵前部については、該踵前部が接地しているときは同時に踵後部も接地することになるから、踵後部に滑り止め部分が形成されていれば、必ずしも踵前部が滑り止め部分である必要はない。一方、踵後部及び踵背面については歩行時の踵接地の場面においてグリップ力が必要とされる。従って上記の如く踵の左右両側縁位置を除いた踵後部〜踵背面位置に滑り止め部分を形成することとする。
【００１９】
次に上記ＭＰ関節の支持点２点について述べると、これら２つの支持点は歩行時における足裏全面接地の場面と踏み返し・蹴り出しの場面において、床面とのグリップ力が要求されるところ、該２つの支持点は同時に床面に当たることから、必ずしも離れた２つの箇所として滑り止めが必要な訳ではなく、またＭＰ関節の全ての範囲が滑り止めとなっている必要もなく、少なくともそのうちの１つの指におけるＭＰ関節位置が滑り止め部分となっていれば、上記足裏全面接地の場面と踏み返し・蹴り出しの場面において、当該１以上の指のＭＰ関節の滑り止め部分が摩擦抵抗となって、歩行が円滑に行える。この観点から、上記の如く第二〜四指のうちの少なくとも１指のＭＰ関節位置に滑り止め部分を形成することとする。
【００２０】
尚第二〜四指のＭＰ関節位置の全範囲（図１の（ｂ）に示すＡの範囲）のうちの６０％（面積割合）以上に滑り止め部分が形成されていることが好ましい。歩行時の床面へのグリップ力が高まるからである。
【００２１】
以上の様に底裏面において所定の箇所に滑り止め部分と易滑り部分を配置することにより、靴を履く操作が楽であって、且つ下肢装具のままで歩行するときに床面をグリップして歩くことができる。
【００２２】
上記滑り止め部分については、すべり抵抗係数（ＪＩＳ  Ａ  １４５４  高分子系張り床材試験方法  滑り性能試験により計測された係数（以下、Ｃ．Ｓ．Ｒ値と称することがある））が０．４５以上であることが推奨される。靴底材料の場合にＣ．Ｓ．Ｒ値０．４５以上が滑り難いとされているからである。尚、床面へのグリップ力が高まるという点からするとＣ．Ｓ．Ｒ値が高い程好ましいのであるが、一般にグリップ力が高すぎると摩耗を生じやすく、滑り止め部分の耐久性が劣る傾向があるので、Ｃ．Ｓ．Ｒ値が１．０以下であることが好ましい。
【００２３】
また易滑り部分については、Ｃ．Ｓ．Ｒ値が０．２以下であることが推奨される。一般に０．２以下の場合は滑り易いとされていることから、この程度であれば、一般的な靴内面に対して高い摩擦抵抗が生じることが殆どなく、靴を履く操作が円滑に行い得るからである。易滑り部分のＣ．Ｓ．Ｒ値としてより好ましくは０．１以下である。
【００２４】
加えて本発明においては、前記滑り止め部分が、第一〜五指のうちの少なくとも１指の指腹位置（図１（ｂ）に示すＣ1，Ｃ2，Ｃ3，Ｃ4，Ｃ5の箇所の少なくともいずれか１つ）に形成されたものであることが好ましい。
【００２５】
歩行時における蹴り出しのとき、指腹部分も蹴り出し動作に寄与していることから、この指腹位置に滑り止め部分が形成されていると、歩行をより円滑に行えることが期待できる。但し、第一指の指腹部分（Ｃ1）と第五指の指腹部分（Ｃ5）については、図１（ｂ）のＣ1，Ｃ5に示す様に、足の左右側縁位置には滑り止め部分を形成しないこととする。前述の様に、この位置は靴を履く際に靴内面に擦れることの多い箇所であるから、この位置に滑り止め部分が形成されていると、靴が履き難くなる虞があるからである。
【００２６】
更に本発明においては、前記滑り止め部分が前記易滑り部分よりも張り出していることが好ましい。尚「張り出している」とは、易滑り部分の面よりも滑り止め部分の面の方が高い位置にあるということであり、換言すると出っ張っている、或いは隆起しているということである。
【００２７】
この様に滑り止め部分が張り出していることで、歩行時において、隣接する易滑り部分よりも先に滑り止め部分が床面に当たり、また足裏面が床から離れる際も後で離れるから、床へのグリップ力を良好に発揮し得る。
【００２８】
但し、滑り止め部分があまりに張り出し過ぎると、足裏に異物感を与えるので、張り出し高さは３mm以下であることが好ましい。他方、張り出し高さの下限としては、足底載置体製品の初期の段階で０．３mmであることが好ましい。その理由は、一般に滑り止め部分に使用される素材は、易滑り部分に使用される素材よりも摩耗し易いことから、０．３mm未満であると、早期に摩耗して易滑り部分とあまり高さが変わらなくなる虞があるからである。上記の如く０．３mm以上であれば、通常の使用状態で３年間程は或る程度の高さを維持し得るという所見を得ている。尚上記張り出し高さは、易滑り部分に形成された特別な窪み（後述の、下腿添体を取り付ける為の窪み等）からの高さを言うものではなく、下肢装具として出来上がった状態での段差（高さ）である。
【００２９】
また本発明においては、前記易滑り部分が、前記底裏面における第一指の中足基節骨関節位置と第五指の中足基節骨関節位置に形成されたものであることが好ましい。
【００３０】
ＭＰ関節の部分は足の横幅が広い箇所であるので、靴を履くときに靴内面に比較的当たり易い。そこで易滑り部分として、前記の左右両側縁位置に加えて第一指のＭＰ関節位置（図１（ａ）に示すＦの箇所）と第五指のＭＰ関節位置（図１（ａ）に示すＧの箇所）にも形成することにより、靴を履く操作をより楽に行い得る。
【発明の効果】
【００３１】
本発明に係る下肢装具用足底載置体や下肢装具によれば、下肢装具を装着してその上から靴を履くという操作を楽に行うことができ、且つ上に靴を履かずに下肢装具のままで歩行するにあたって、床面に対してグリップ力があり、円滑に歩行を行い得る。
【発明を実施するための最良の形態】
【００３２】
＜実施形態１＞
図２は本発明の実施形態１に係る下肢装具用足底載置体１０を表す図で、その（ａ）は底裏面から見た底面図で、（ｂ）は足内側から見た側面図である。また図３は該足底載置体１０を装着した下肢装具２０を表す斜視図である。尚、この下肢装具２０は膝より下の足部分を補助する為の短下肢装具であり、専ら足首の動作が不自由な患者の補助具として用いられる。
【００３３】
下肢装具２０は、足底を載せるための足底載置体１０と、下腿部分を支持する下腿添体と、これら足底載置体１０や下腿添体を足（図示せず）に固定する為のバンド２５，２２からなる。上記下腿添体は、足の内外に設けられた下部支柱２４と上部支柱２１、これら下部支柱２４と上部支柱２１を底屈及び背屈方向に揺動可能に連結する連結部材２３，２６、並びに上部支柱２１（尚、足内外２本の上部支柱２１は上部分で連なっている）に嵌合されて足の脛側を覆う脛当て部２７からなる。図３中、２８は足底載置体１０にバンド２５及び下部支柱２４を取り付ける為のボルトである。尚、下部支柱２４、上部支柱２１、及び連結部材２３，２６はいずれも金属製で、足底載置体１０と脛当て部２７は合成樹脂製であり、バンド２５，２２は布や革等の可撓性シート材料製である。
【００３４】
次に足底載置体１０について説明する。
【００３５】
まず足底載置体１０の外形について述べると、足底載置体１０は大凡足裏に沿った前側幅広の縦長形状をしており、後端１０ｂは踵背面に沿って少し立ち上がり、内側端１０ｃや外側端１０ｄも足内外側に沿って少し立ち上がった形となっている。また足底載置体１０の土踏まずの付近に窪み１３が形成されており、この窪み１３はバンド２５や下部支柱２４の足裏部分がちょうど嵌り込む形状であり、バンド２５や下部支柱２４を取り付けたときに、足裏にこれらバンド２５等による出っ張りが生じないようになっている。
【００３６】
この足底載置体１０は、ポリプロピレン等のポリオレフィン系樹脂からなる載置体本体１７（厚さ２〜３mm）の底裏面の一部に、エチレンプロピレンラバー（ＥＰＲ）やエチレンプロピレンジエン系ラバー（ＥＰＤＭ）等のオレフィン系熱可塑性エラストマーからなる滑り止め部分１２，１４，１５，１６が積層された構造となっており、載置体本体１７が露出した箇所が易滑り部分１１となる。この易滑り部分１１のＣ．Ｓ．Ｒ値としては例えば０．１であり、滑り止め部分１２のＣ．Ｓ．Ｒ値としては例えば０．５である。  図２（ａ）に示すように滑り止め部分は４箇所からなり、つまり足底載置体１０の底裏面における第二〜四指のＭＰ関節位置から第一〜五指の指腹位置（但し第一指と第五指の左右側縁位置は除く）にかけて形成された前側滑り止め部分１２（図１（ｂ）に示すＡの全範囲とＣ1~5の全範囲を含むようにして形成されている）と、踵の左右両側縁位置及び窪み１３の位置を除いた踵位置（図１（ｂ）に示すＢの全範囲を含むようにして形成されている）に形成された踵滑り止め部分１４、及び足裏中央部分に形成された中央滑り止め部分１５，１６から構成されている。尚、中央滑り止め部分１５，１６は上記窪み１３形成の為に分離したものである。そしてこれら滑り止め部分１２，１４，１５，１６は易滑り部分１１よりも１〜２．５mm張り出している（図２（ｂ）に示す張り出し高さＴ。但しこの張り出し高さは、窪み１３の凹みからの高さを言うものではなく、下肢装具として出来上がった状態での段差（高さ）である）。尚踵部分は特にすり減り易い箇所であるので踵部分を2.5mmとし、その他の箇所を１mm程度とする。
【００３７】
載置体本体１７に対する滑り止め部分１２，１４，１５，１６の積層は異材質成形方法によって行われ、例えばファーストショットとして滑り止め部分１２，１４，１５，１６を射出成形により形成し、これに対してセカンドショットにおいて載置体本体１７の原料を積層するようにして射出成形する。この様に材料が未硬化の状態で積層することにより、載置体本体１７に対する滑り止め部分１２，１４，１５，１６がしっかりと接合一体化される。殊に載置体本体１７と滑り止め部分１２，１４，１５，１６の素材に同種の素材、例えばいずれもオレフィン系樹脂を用いた場合は、両者の馴染みが良く、強固に接合し得る。この様な異材質成形方法としては、例えば特開平８−２０７０７９号公報に紹介されるような公知の方法が適用可能である。
【００３８】
尚、仮に接着剤で滑り止めシートを貼り付ける構成であると、踵や足内外側の形状に沿って少しせり上がった形態である場合、このせり上がり部分において滑り止めシート縁から剥がれ易い。殊にオレフィン系樹脂は難接着性であるので、接着剤でゴム製シートを接着した場合には、剥離する懸念がある。しかし前述の様に未硬化状態で積層してこれを硬化させるという成形法であると、滑り止め部分１２等が載置体本体１７に対して一体成形されるから、殆ど剥がれることがない。
【００３９】
載置体本体１７が露出した易滑り部分１１は、上記滑り止め部分１２，１４，１５，１６以外の底裏面に形成されており、具体的には足底載置体１０の底裏面における左右両側縁位置に底裏面の全長（長手方向全長）に亘って形成される（図１（ａ）に示すＤ，Ｅの全範囲）と共に、第一指のＭＰ関節位置（図１（ａ）に示すＦの全範囲）と第五指のＭＰ関節位置（図１（ａ）に示すＧの全範囲）及び第一中足骨骨頭位置に形成されている。
【００４０】
次に上記下肢装具２０を使用する場合について説明する。
【００４１】
下肢装具２０を足に装着して、そのまま上に靴を履かずに歩行する場合には、滑り止め部分１２等が易滑り部分１１よりも先に床面に当たり、この滑り止め部分１２等がしっかりと床をグリップするので、殆ど滑る感覚なしに歩行することができる。更に歩行動作の場面毎に説明すると、まず踵接地の場面では滑り止め部分１４によって床をグリップでき、続く足底全面接地の場面では滑り止め部分１２，１４，１５，１６で床をグリップできる。次に踏み返し蹴り出す場面では滑り止め部分１２によって床をグリップしてしっかりと蹴り出すことができる。
【００４２】
下肢装具２０を足に装着した状態でその上に靴を履く操作を行うにあたっては、底裏面における左右両側縁位置及び第一，五指のＭＰ関節位置（図１（ａ）に示すＤ，Ｅ，Ｆ，Ｇの範囲）が易滑り部分１１となっており、靴内面にはこれらの箇所が専ら接触することになるので、摩擦抵抗が小さくスムーズに靴を装着することができる。
【００４３】
＜実施形態２＞
図４は本発明の実施形態２に係る下肢装具用足底載置体３０をその底裏面から見た底面図である。
【００４４】
上記実施形態１ではＭＰ関節位置に設ける滑り止め部分１２として、一塊となったものを示したが、実施形態２では２箇所に分かれた滑り止め部分３２，３３により構成されている。また踵部分の滑り止め部分３４は、踵の左右両側縁位置を除いた踵後部〜踵背面位置に形成されたものとなっており、踵前部には滑り止めが形成されていない。
【００４５】
この実施形態２の足底載置体３０を取り付けた下肢装具においても、そのまま床を歩行するに際して、滑り止め部分３２，３３，３４が良好に床面をグリップするので滑って歩き難いということは殆どなく、またこの上から靴を履くときにも、易滑り部分３１によってスムーズに履くことができる。
【００４６】
以上、例を挙げて本発明をより具体的に説明したが、本発明はもとより上記例によって制限を受けるものではなく、前記の趣旨に適合し得る範囲で適当に変更を加えて実施することも勿論可能であり、それらはいずれも本発明の技術的範囲に包含される。
【００４７】
例えば上記実施形態１では、載置体本体１７（露出部が易滑り部分１１となる）に別素材の滑り止め部分１２等を積層する構成を示したが、これに限るものではなく、１種類の合成樹脂で足底載置体を作成することとし、滑り止め部分を粗面に形成する（例えば、ヤスリ等によりギザギザ面とする）ことで滑り止め機能を付与すると共に、易滑り部分を滑面に形成することにより滑り易くしたものであっても良い。
【図面の簡単な説明】
【００４８】
【図１】（ａ）は本発明に係る足底載置体の底裏面における易滑り部分の配置箇所を説明する為の底面図であり、（ｂ）は本発明に係る足底載置体の底裏面における滑り止め部分の配置箇所を説明する為の底面図である。
【図２】本発明の実施形態１に係る下肢装具用足底載置体を表す図で、その（ａ）は底裏面から見た底面図、（ｂ）は足内側から見た側面図である。
【図３】本発明の一実施形態に係る下肢装具を表す斜視図である。
【図４】本発明の実施形態２に係る下肢装具用足底載置体をその底裏面から見た底面図である。
【図５】従来の下肢装具における裏面ラバータイプの底裏を示す底面図である。
【符号の説明】
【００４９】
１０，３０  下肢装具用足底載置体
１１，３１  易滑り部分
１２，１４，１５，１６，３２，３３，３４  滑り止め部分
１３  窪み
１７  載置体本体
２０  下肢装具
２１  上部支柱
２２，２５  バンド
２３，２６  連結部材
２４  下部支柱
２７  脛当て部
【図１】
2007135916.tif 000003
【図２】
2007135916.tif 000004
【図３】
2007135916.tif 000005
【図４】
2007135916.tif 000006
【図５】
2007135916.tif 000007